【手続補正書】
【提出日】平成17年6月16日(2005.6.16)
【手続補正１】
【補正対象書類名】明細書
【補正対象項目名】請求項３
【補正方法】変更
【補正の内容】
【請求項３】
表示処理手段は、営業結果データの曜日別の合計および平均値の一方または両方を算出する機能と、その計算結果を表示する曜日別集計欄を表示する機能と、少なくとも営業結果欄に表示したデータを含んだ曜日別の合計および平均値の一方または両方を算出して、その算出結果を上記曜日別集計欄に表示する機能とを備えた請求項１または２に記載の遊技場の営業結果管理システム。
【手続補正２】
【補正対象書類名】明細書
【補正対象項目名】０００９
【補正方法】変更
【補正の内容】
【０００９】
第３の発明は、表示処理手段が、営業結果データの曜日別の合計および平均値の一方または両方を算出する機能と、その計算結果を表示する曜日別集計欄を表示する機能と、少なくとも営業結果欄に表示したデータを含んだ曜日別の合計および平均値の一方または両方を算出して、その算出結果を上記曜日別集計欄に表示する機能とを備えた点に特徴を有する。
【手続補正３】
【補正対象書類名】明細書
【補正対象項目名】００１３
【補正方法】変更
【補正の内容】
【００１３】
図２の表Ｔ１は、最上部に曜日を１週間分並べた曜日欄９を備え、その下に、対応する日付欄１０を設けている。さらに、各日付欄１０の下には、その日の営業結果を表示する営業結果欄１１と、メモ欄１２とを設けている。このように、日付欄１０と営業結果欄１１と、メモ欄１２とをセットにしたものを、１週間分横１列、すなわち行方向に並べ、さらに、それを、ここでは５週間分並べている。
したがって、各営業結果欄１１における同一曜日の欄が、縦１列に並んで、各日付欄１０は、カレンダーのように配置される。
【手続補正４】
【補正対象書類名】明細書
【補正対象項目名】００１４
【補正方法】変更
【補正の内容】
【００１４】
なお、ここでは、上記表Ｔ１をマトリックスと考え、横方向を行方向、縦方向を列方向ということにする。
さらに、上記営業結果欄１１は、複数の項目を表示できるように分割している。その項目は、左端の列の項目表示欄１３に表示しているが、この第１実施例では、「売上」、「実質粗利」、「割数」を表示するようにしている。なお、「割数」とは、パチンコ玉などの遊技媒体と交換した景品の金額を、売上げ金額で割った値に１０をかけたものである。
そして、上記営業結果項目は、図２に示すように、営業結果欄１１の中に縦に一列に並べたものに限らない。例えば、１つの営業結果欄１１内に、複数列に項目を並べてもかまわない。さらに、上記営業結果欄１１も、日付欄１０の下だけでなく横に並べるようにしても良い。要するに、日付欄１０と、対応する営業結果欄１１との対応が明らかになる並べ方をすればよい。
【手続補正５】
【補正対象書類名】明細書
【補正対象項目名】００１５
【補正方法】変更
【補正の内容】
【００１５】
また、各日付に対応したメモ欄１２は、その店のイベントや、他店のイベントなど、営業結果に影響を与えそうな事柄を記入しておく欄である。各メモ欄１２には、ホールコンピュータＣのキーボードなどの入力手段を用いて必要事項を記入するようにする。上記メモ欄１２が、この発明の情報記入欄であり、キーボードが、この発明の入力手段にあたる。
上記表示処理手段７は、各日の営業結果データを記憶手段５から引き出して、上記のような各欄を備えたフォーマットに当てはめてディスプレイ８に表示させる。
【手続補正６】
【補正対象書類名】明細書
【補正対象項目名】００１６
【補正方法】変更
【補正の内容】
【００１６】
図２に示す表Ｔ１は、「２００２年７月」の営業結果を示す表であるが、カレンダーの各日にちに対応した営業結果データが表示されている。この表Ｔ１には、７月中、１ヶ月間毎日の売上げなどの営業結果データを全て一覧することができる。従って、特定の日におけるデータを、他のデータと比較して解析する際にも、いちいち、別のフォーマットにまとめられた表を出力し直さなくてもよい。例えば、７月中で、最も売上げの多かった日を特定することもすぐにできるし、その原因を考えるときにも、同じ画面のまま、他の日のデータと対比することができる。
【手続補正７】
【補正対象書類名】明細書
【補正対象項目名】００１７
【補正方法】変更
【補正の内容】
【００１７】
さらに、上記特定の日のデータを、同じ週の、他の日のデータと対比したり、同じ曜日の、他の週のデータと比較したりすることによって、上記特定の日の営業結果に何が影響しているのかを推測することもできる。
従来例のようなシステムなら、週別集計表をみて、最も売上げの多い週を見つけたら、その原因を解析するためには、その週に含まれる日々のデータを１日分ずつ表示させて確認するというような、手間をかけなければならなかった。
また、上記メモ欄１２に記入された情報を後から見ることによって、イベントなど、その日の特別な状況を後から知ることができる。例えば、非常に売上げが低かった場合、近所の競合店の新装開店日であったというようなことが記録されていれば、そのことが、自店の売上げが落ちた原因ではないかと考えることができる。
【手続補正８】
【補正対象書類名】明細書
【補正対象項目名】００１８
【補正方法】変更
【補正の内容】
【００１８】
なお、営業結果項目としては、上記の「売上」、「実質粗利」、「割数」に限らないし、その数もいくつでも良い。ただし、項目数があまり大きくなると、表Ｔ１が大きくなって一覧し難くなるので、その場合には、全ての項目を一度に表示させないで、プルダウン画面を設けるなどして、表示する項目を選択できるようにしてもよい。
上記情報記入欄であるメモ欄１２に記入した情報も、全ての内容を直接表示するだけでなく、その欄や記入内容に合わせたマーク等をクリックすると、改めて、ウインドウが表れ、その中に情報を表示させるようにしてもよいし、マウスポインタで、その場所を指示すると吹き出しとして、情報が表示されるようにしても良い。
【手続補正９】
【補正対象書類名】明細書
【補正対象項目名】００１９
【補正方法】変更
【補正の内容】
【００１９】
さらに、図２には、各行に、１週間分のデータを表示するようにしているが、行方向は、１週間分に限らず、例えば、２週間、３週間分の営業結果欄１１を並べるように、あらかじめ、ホールコンピュータＣに設定しておくこともできる。また、列方向も、５週に限らない。要するに、日々の営業結果データを、マトリックス状に表示することによって、いちいち画面を切り替えないでデータの対比ができるようにする。ただし、マトリックスのセルが多すぎると、同一画面であっても、データの対比がし難くなるので、適当な大きさにすることが好ましい。
【手続補正１０】
【補正対象書類名】明細書
【補正対象項目名】００２０
【補正方法】変更
【補正の内容】
【００２０】
図３には、第２実施例のシステムで出力される２００２年７月の営業結果の表Ｔ２を表している。
第２実施例のシステム構成は、図１に示す第１実施例と同様なので、以下の説明には、図１を用いるが、各構成要素の説明は省略する。
ホールコンピュータＣの表示処理手段７によって、ディスプレイ８に表示される表Ｔ２は、曜日欄９と、日付欄１０と、営業結果欄１１、メモ欄１２、項目表示欄１３とを備え、各欄の機能は上記第１実施例の表Ｔ１と同じである。ただし、表Ｔ２の右端の列には、週の合計を表示する週合計欄１４と、７月度の合計を表示する月度合計欄１５が設けられ、一番下の行には、上記営業結果欄１１の各項目に対応した曜日別の合計を表示する曜日別合計欄１６を設けている。
【手続補正１１】
【補正対象書類名】明細書
【補正対象項目名】００２１
【補正方法】変更
【補正の内容】
【００２１】
上記週合計欄１４は、第１週合計、第２週合計…というように、各週に対応して設けられていて、その中は、営業結果欄１１の項目に対応している。そして、この週合計欄１４には、同じ行のデータを合計した値を表示する。すなわち、この週合計欄１４が、この発明の行集計欄である。
また、上記曜日別合計欄１６は、この発明の曜日別集計欄である。
このような表Ｔ２は、以下のようにして、ディスプレイ８に表示される。
まず、ホールコンピュータＣには、各台端末２を介して、遊技台情報や、玉貸し金額などが入力されるとともに、景品金額などが入力される。これら入力されたデータを集計処理手段６が、１日当たりのデータとして集計し、記憶手段５に記憶させる。
【手続補正１２】
【補正対象書類名】明細書
【補正対象項目名】００３１
【補正方法】変更
【補正の内容】
【００３１】
なお、上記第２、第３実施例では、曜日別合計欄１６や、曜日別平均欄１７に表示される集計結果データを算出する際の基になる詳細データは、画面スクロールを必要とする場合もあるが、結果的に全て、ディスプレイに表示することができるようにしている。しかし、必ずしも、全ての詳細データを表示させるようにしなくてもよい。例えば、営業結果表として、ディスプレイに表示されるのは、最近のデータだけで、平均値や、合計値などの集計データは、もっと過去のデータまでも含んだものにするということである。ただし、ディスプレイ上に表示されている日々の営業結果データは、必ず上記集計データに含まれるようにする。なぜなら、集計結果と全く関係のないデータが、表示されていたのでは、それらのデータを対比することに意味がなくなってしまうからである。
また、上記第３実施例では、曜日別集計欄や年合計欄に表示させる集計値は、現在から過去１年間を集計対象としたが、ディスプレイに表示された月から過去１年間の集計を行う（例えば、６月までスクロールさせた場合は２００１年７月１日から２００２年６月３０日までの集計を行う）ようにディスプレイに表示させるデータに合わせて曜日別集計欄や年合計欄の集計対象を変化させる場合もある。また、１月から１２月までの結果を閲覧する場合、１月〜１１月までスクロールしている間は月平均を表示させ、１２月までスクロールすると、年平均を表示させる場合もある。
【手続補正１３】
【補正対象書類名】明細書
【補正対象項目名】００３３
【補正方法】変更
【補正の内容】
【００３３】
【発明の効果】
第１〜第５の発明によれば、遊技場の営業結果のうち、日々の集計結果を複数同時に表示させることができる。そのため、その表示結果から、複数のデータを対比して、解析することが可能になる。
第２の発明によれば、週単位の集計結果と、日毎の営業結果データとを画面を切り替えないで、見ることができる。そのため、データを簡単に対比できるとともに、様々な観点から、営業結果を解析しやすくなる。
【手続補正１４】
【補正対象書類名】明細書
【補正対象項目名】符号の説明
【補正方法】変更
【補正の内容】
【符号の説明】
１          遊技台
Ｃ          ホールコンピュータ
５          記憶手段
６          集計処理手段
７          表示処理手段
８          ディスプレイ
１０        日付欄
１１        営業結果欄
１２        メモ欄
１４        集合計欄
１５        月度合計欄
１６        曜日別合計欄
１７        曜日別平均欄